(57)【特許請求の範囲】
【請求項１】
光源および前記光源を内部に収納する筐体を有する光源ユニットと、一端が開口する有底筒状に形成され底面には前記光源の光を取り出す窓孔が形成されて前記光源ユニットを収納する器具本体と、一端が開口する有底筒状に形成されて前記器具本体の前記一端の開口を閉塞するエンドカバーと、一端が前記光源ユニットに接続し、前記光源ユニットに電力を供給する電気ケーブルとを備え、
前記エンドカバーは、底面に設けられて前記光源ユニットの前記筐体と接触する棒状に形成されるボスと、周壁に設けられる通線孔とを備え、
前記電気ケーブルは、前記光源ユニットから、前記ボスの外周面に沿った巻回経路を通って前記通線孔へ向かう引き回し経路に配置され、前記エンドカバーの内部から前記通線孔を通って外部へ導出される
ことを特徴とする照明器具。
【請求項２】
前記引き回し経路は、前記光源ユニットから、前記ボスの外周面と前記エンドカバーの内周面との間を通り、前記エンドカバーの前記底面の中心側に向かう巻回経路を含む経路である
ことを特徴する請求項１に記載の照明器具。
【請求項３】
前記ボスは、軸方向から見た断面が円形状に形成される
ことを特徴とする請求項１または２に記載の照明器具。
【請求項４】
前記ボスは、筒状に形成され、
前記エンドカバーは、前記ボスの筒内を通る留め具によって、前記光源ユニットの前記筐体に取り付けられる
ことを特徴とする請求項３に記載の照明器具。
【発明の詳細な説明】
【技術分野】
【０００１】
本発明は、照明器具に関し、特に、電力供給用の電気ケーブルを有する照明器具に関する。
【背景技術】
【０００２】
従来例として、特許文献１記載の照明器具を例示する。特許文献１に記載の照明器具は、ＬＥＤユニットと、ＬＥＤユニットが着脱自在に取り付けられた器具本体とを備える。ＬＥＤユニットは、発光装置と、発光装置が一表面側に配置される板状のベースとを備える。発光装置は、実装基板の一面側にＬＥＤチップを用いた発光部をおよび発光部への給電用の端子部を有している。また、ＬＥＤユニットは、発光装置の端子部の各々に電気的に接続された給電用の電線を備えている。
【０００３】
ベースの側縁には、発光装置に電気的に接続された電線をＬＥＤユニットの外部へ導出するための導出部が設けられている。
【０００４】
ベースには、導出部の近傍において、各電線の各々を凹所の内周面との間に挟持するリブが突設されている。
【０００５】
ＬＥＤユニットでは、ベースに設けられた各リブと凹所の内周面によって、端子部と導出部との間で電線を保持して電線に張力が作用するのを抑制可能な第１の張力止め部が構成されている。
【０００６】
また、ＬＥＤユニットでは、凹所の内周面における導出部の内周面との境界付近に突設された２つのリブによって、端子部と導出部とのあいだで電線を保持して電線に張力が作用するのを抑制可能な第２の張力止め部が構成されている。
【先行技術文献】
【特許文献】
【０００７】
【特許文献１】特開２０１２−１８１９４７号公報
【発明の概要】
【発明が解決しようとする課題】
【０００８】
ところで、特許文献１記載の照明器具では、電線（電気ケーブル）がリブやベースの内周面などに挟まれて保持され、電線に張力が作用しないように構成されている。つまり、特許文献１に記載の照明器具は、電線に係る張力を抑制するために専用のリブを設ける必要がある。
【０００９】
本発明は、上記事由に鑑みてなされており、簡易な構造によって電気ケーブルが受ける張力を抑制することができる照明器具を提供することを目的とする。
【課題を解決するための手段】
【００１０】
本発明の照明器具は、光源および前記光源を内部に収納する筐体を有する光源ユニットと、一端が開口する有底筒状に形成され底面には前記光源の光を取り出す窓孔が形成されて前記光源ユニットを収納する器具本体と、一端が開口する有底筒状に形成されて前記器具本体の前記一端の開口を閉塞するエンドカバーと、一端が前記光源ユニットに接続し、前記光源ユニットに電力を供給する電気ケーブルとを備え、前記エンドカバーは、底面に設けられて前記光源ユニットの前記筐体と接触する棒状に形成されるボスと、周壁に設けられる通線孔とを備え、前記電気ケーブルは、前記光源ユニットから、前記ボスの外周面に沿った巻回経路を通って前記通線孔へ向かう引き回し経路に配置され、前記エンドカバーの内部から前記通線孔を通って外部へ導出されることを特徴とする。
【発明の効果】
【００１１】
本発明の照明器具は、簡易な構造によって電気ケーブルが受ける張力を抑制することができるという効果がある。
【図面の簡単な説明】
【００１２】
【図１】実施形態に係る照明器具を示す斜視図である。
【図２】実施形態に係る照明器具を示すＡ１−Ａ２断面矢視図である。
【図３】実施形態に係る照明器具の要部を示す斜視図である。
【図４】実施形態に係る照明器具の要部を示す斜視図である。
【図５】実施形態に係る照明器具の要部を示すＢ１−Ｂ２断面矢視図である。
【図６】実施形態に係る照明器具の要部を示す断面図である。
【図７】実施形態に係る照明器具の要部おける変形例を示す断面図である。
【発明を実施するための形態】
【００１３】
以下、本発明に係る照明器具の実施形態について、図面を参照して詳細に説明する。なお、以下の説明において、特に断りのない限り、図１において、上下、左右、および前後を規定する。
【００１４】
本実施形態の照明器具は、建物に取り付けられるスポット照明器具として例示する。ただし、本実施形態の照明器具は、屋内または屋外に係わらず、建物以外の場所に配置されることもできる。
【００１５】
照明器具は、図１に示すように、光源ユニット１と、光源ユニット１を収納する器具本体２と、器具本体２の一端（下端）を閉塞するエンドカバー３と、エンドカバー３の周壁３２に接続される回転部４と、建物などに取り付け可能な固定部５とを備える。照明器具は、さらに、光源ユニット１に電力を供給する電気ケーブル６を備える。
【００１６】
器具本体２は、図１および図２に示すように、アルミダイカストなどの材料によって、下端が開口する有底円筒形状に形成される。器具本体２の上面には、枠２１が形成されている。枠２１には、３つのねじ孔と、光源ユニット１の光を取りだす窓孔２２が形成されている。窓孔２２は、上下方向から見た器具本体２の中心に位置する中心軸と同軸となるように形成され、パネル２３で覆われている。
【００１７】
パネル２３は、透光性の材料（例えば、強化ガラスなど）によって、円板形状に形成されている。パネル２３の周縁は、パッキン２４に覆われている。
【００１８】
パッキン２４は、弾性を有する素材、例えばエチレンプロピレンゴム、によって、周方向から見てＵ字形状に形成された円環状に形成されている。パッキン２４は、内周面に形成された溝２４１にパネル２３の周縁を嵌めて保持する。パッキン２４は、枠２１とパネル２３との間の隙間を埋めることで、窓孔２２から器具本体２の内部に水や埃などが浸入することを抑制している。
【００１９】
パッキン２４の下面には、外向きに突出する鍔２４２が形成される。鍔２４２には、ねじを通す３つのねじ溝が設けられ、隣り合うねじ溝と周方向の距離が同じになるように形成されている。また、パッキン２４の下面には、円環形状に形成された取付板２５が配置されている。
【００２０】
取付板２５には、ねじを通す３つのねじ溝が設けられ、隣り合うねじ溝と周方向の距離が同じになるように形成されている。
【００２１】
パッキン２４のねじ溝、取付板のねじ溝、および枠２１のねじ孔は、上下方向に重なるように配置される。パッキン２４と取付板２５は、ねじ２０１がパッキン２４のねじ溝および取付板のねじ溝を通って、枠２１の下面に設けられているねじ孔に嵌め合わされて、枠２１に取り付けられている。
【００２２】
器具本体２の下端の開口縁には、エンドカバー３の凸部３０１と嵌め合わされる凹部２０２と、エンドカバー３を取り付けるための２個のねじ孔とが形成されている。
【００２３】
光源ユニット１は、図２に示すように、上端に開口部１３を有する有底円筒形状の筐体１１と、開口部１３を覆うレンズ１３１とを備える。光源ユニット１は、さらに、筐体１１に収納されて複数の光源（ＬＥＤ）（Ｌｉｇｈｔ  Ｅｍｉｔｔｉｎｇ  Ｄｉｏｄｅ）１４１を有する光源モジュール１４と、光源モジュール１４を保持するホルダ１７とを備える。
【００２４】
筐体１１は、上端が開口する有底円筒形状の下側筐体１１１と、両端が開口する円筒形状の内側筐体１１２と、下端が開口する円筒形状に形成される外側筐体１１３と、底板１２とを有する。
【００２５】
底板１２は、アルミダイカストなどの材料によって形成され、下側筐体１１１とエンドカバー３との間に配置される。底板１２は、上面に、角柱形状の放熱部１２１が上方に突出するように一体に形成されている。放熱部１２１は、光源モジュール１４に熱的接続されて複数のＬＥＤ１４１が発生する熱を放熱する。放熱部１２１は、上端に後述するホルダ１７を固定するための２つのねじ孔が形成されている。
【００２６】
下側筐体１１１は、上端が開口し、上下方向から見た外径が上下方向から見た底板１２の外径とほぼ同じ寸法となるように形成され、下側に底部１１４を備える。下側筐体１１１の底部１１４には、放熱部１２１の周囲を覆う覆い部１１５が上向きに張り出すように形成されている。覆い部１１５は、上下方向から見て、放熱部１２１に沿った角筒状に形成されている。覆い部１１５の張り出し寸法（高さ寸法）は、放熱部１２１の高さとほぼ同じ寸法に形成されている。
【００２７】
覆い部１１５と下側筐体１１１の内周面との間には、複数のＬＥＤ１４１を発光させるための電源ユニットなどが配置される。電源ユニットは、例えば、電気ケーブル６を介して入力される交流電圧を所望の直流電圧に変換して、ＬＥＤ１４１に出力するように構成される。電源ユニットを構成する回路素子は、回路基板１５に実装されている。回路基板１５は、中央部分に覆い部１１５の外周の形状に沿う挿通孔１５１を有する円板形状に形成されている。回路基板１５の外周面は、下側筐体１１１の内周面に沿うように形成されている。回路基板１５は、挿通孔１５１に覆い部１１５を通した状態で下側筐体１１１の底部１１４と上下方向に平行となるように下側筐体１１１内に取り付けられる。回路基板１５は、電気ケーブル６の一端が接続されて、例えば商用電源から電力が供給される。回路基板１５は、円筒形状に形成されて内部に電気ケーブル６を通すガイド１５２を備える。ガイド１５２は、回路基板１５から底部１１４および底板１２を貫いてエンドカバー３の内部に向かって突出するように配置される。
【００２８】
光源モジュール１４は、複数のＬＥＤ１４１が実装される矩形板形状の回路基板を有し、複数のＬＥＤ１４１がパネル２３（上方）に向かって光を放出するために、ＬＥＤ１４１が実装されている面が上面となるように放熱部１２１の上端に保持される。
【００２９】
ホルダ１７は、樹脂などの材料によって、中央部分に光源モジュール１４を露出させるための貫通孔を有する矩形板形状に形成され、ねじを通すための挿通孔を備える。ホルダ１７は、光源モジュール１４の周縁を放熱部１２１の上端との間に挟み込んでねじなどによって放熱部１２１に取り付けられる。
【００３０】
内側筐体１１２は、上下方向から見た中心軸が下側筐体１１１を上下方向から見た中心軸と同軸となるように配置されている。内側筐体１１２の内周面には、内周面の上端から、下向きに先細りするように斜め下方向に張り出した反射板１１６が形成されている。反射板１１６は、複数のＬＥＤ１４１から放射された光をパネル２３に向けて反射するように下端が開口し、上下方向から見た下端の内周面が反射板１１６の上下方向から見た上端の内周面よりも小さく形成される。
【００３１】
反射板１１６は、下面から下方向に突出する係止部１１８を備える。反射板１１６は、係止部１１８がホルダ１７の外周縁に引っ掛かることで、ホルダ１７に保持される。
【００３２】
外側筐体１１３は、円筒形状に形成され、上面にレンズ１３１を有し、下側筐体１１１の上方、かつ内側筐体１１２を上方から覆うように配置される。つまり、外側筐体１１３は、レンズ１３１が内側筐体１１２の上端の開口を覆うように配置される。レンズ１３１は、透光性の材料、例えばフレネルレンズに形成されていて、複数のＬＥＤ１４１から放射された光および反射板１１６から反射された光を平行光にするために設けられている。
【００３３】
外側筐体１１３は、図３に示すように、側面に上下方向に沿う３本の半円筒形状に形成された第１の溝１８を備える。第１の溝１８は、上下方向から見た中心に対して互いに１２０度離れる位置に形成されている。外側筐体１１３は、ねじ１８１が第１の溝１８に沿って、下側筐体１１１に設けられたねじ孔１１９に嵌め合わされることで、下側筐体１１１に取り付けられる。外側筐体１１３の下端の周縁と、下側筐体１１１の上端の周縁との間には、パッキン１６が挟まれている。また、パッキン１６の内周面は、内側筐体１１２の外周面と接触している。
【００３４】
外側筐体１１３は、周方向に隣り合う２本の第１の溝１８の間に、側面に上下方向に沿った半円筒形状に形成された第２の溝１９を備える。また、下側筐体１１１には、側面に第２の溝１９と同軸かつ一体になるようにねじ溝１９１が形成される。さらに、底板１２には、挿通孔１２２がねじ溝１９１の下端を覆う位置に形成される。挿通孔１２２には、第２の溝１９およびねじ溝１９１を通るねじが上方から挿通される。
【００３５】
エンドカバー３は、図１および図２に示すように、アルミダイカストなどの材料によって、上端が開口し、器具本体２の外径とほぼ同じ外径を有する有底円筒形状に形成される。エンドカバー３は、上端縁が器具本体２の下端縁と接触するように配置され、周壁３２が器具本体２の側面と面一となるように形成される。
【００３６】
エンドカバー３の上端縁には、図２に示すように、器具本体２の凹部２０２に嵌る円環形状の凸部３０１が形成されている。器具本体２の凹部２０２を凸部３０１に嵌めた状態で器具本体２がエンドカバー３に取り付けられ、器具本体２の下端（開口）を閉塞する。エンドカバー３の凸部３０１と、器具本体２の凹部２０２との間には、外部からの水や埃が内部に入らないためのパッキン２０３が配置される。
【００３７】
エンドカバー３は、図４および図５に示すように、内部に放熱用のリブ３３１を備える第１の領域３３と、内部に電気ケーブル６が配置される第２の領域３４とに区別される。
【００３８】
リブ３３１は、底部３１から突出する板状に形成され、上端が光源ユニット１の底板１２の下面に接触するように配置され、底板１２に接触することで、底板１２の熱を放熱する。
【００３９】
第１の領域３３には、上下方向から見たエンドカバー３の中心の回りを囲む円環形状のリブ３３１Ａが形成される。また、第１の領域３３には、リブ３３１Ａの回りにリブ３３１Ａと同軸であって半径の異なる２個の円弧形状のリブ３３１Ｂが形成される。さらに、第１の領域３３には、リブ３３１Ａから周壁３２に向かって径方向に放射状に形成される６個のリブ３３１Ｃが形成される。つまり、リブ３３１は、リブ３３１Ａ、リブ３３１Ｂ、およびリブ３３１Ｃによって構成される。リブ３３１には、２個のねじ孔３３２が設けられる。ねじ孔３３２には、光源ユニット１がエンドカバー３にねじ止めされるためのねじが嵌め合わされる。また、第１の領域３３には、リブ３３１Ｃと周壁３２とが交わる位置に、２個の挿通孔３３３が設けられる。ねじ３０４がエンドカバー３の底部３１から挿通孔３３３に挿通され、器具本体２に設けられるねじ孔に嵌め合わされることで、エンドカバー３は、器具本体２に取り付けられる（図２参照）。
【００４０】
第２の領域３４は、底部３１から棒状に形成されるボス３１１と、周壁３２に設けられる通線孔３２１とを備える。ボス３１１は、上端が光源ユニット１の底板１２と接触し、底板１２の熱を放熱する。ボス３１１には、上下方向（軸方向）から見て断面が円形状に形成され、上方からねじが挿通するねじ孔３１２が設けられる。
【００４１】
エンドカバー３は、上方から、ねじが底板１２の挿通孔１２２に挿通されて、第１の領域３３の２個のねじ孔３３２および第２の領域３４のねじ孔３１２に嵌め合わされることで、光源ユニット１に取り付けられる。
【００４２】
また、第２の領域３４の周壁３２には、内側に突出する突出部３２２が設けられる。突出部３２２は、接地用のねじが挿通されるねじ孔３２３が設けられる。なお、エンドカバー３の内側に突出する側の突出部３２２の外周面は、周壁３２の内周面３２４の一部とする。
【００４３】
ところで、第２の領域３４では、図５および図６に示すように、電気ケーブル６が引き回し経路３５に沿って引き回される。一端が光源ユニット１に電気的に接続されている電気ケーブル６は、光源ユニット１に設けられたガイド１５２を通ってエンドカバー３に導出される。なお、第２の領域３４には、上下方向から見て周方向に、通線孔３２１、ガイド１５２、ボス３１１の順で配置されている。ガイド１５２とボス３１１は、上下方向から見たエンドカバー３の中心からの距離が、ほぼ同じ距離であって、周方向に並んで配置されることが好ましい。なお、図５〜図７において、紙面に垂直な方向を上下方向とし、紙面の手前を上、奥を下とする。
【００４４】
引き回し経路３５は、図６に示すように、第１の経路３５１と、第２の経路３５２と、第３の経路３５３とによって構成される。第１の経路は、ボス３１１の外周面と周壁３２の内周面３２４との間を通る経路である。第２の経路３５２は、ボス３１１の外周面と周壁３２の内周面３２４との間から、エンドカバー３を上から見て反時計回りにボス３１１の外周面に沿って、エンドカバー３の径方向の中心側へ向かう、巻回経路である。第３の経路３５３は、エンドカバー３の径方向の中心とボス３１１との間から通線孔３２１へ向かう経路である。
【００４５】
電気ケーブル６は、第１の経路３５１を通り、第２の経路３５２（巻回経路）を通ってエンドカバー３の径方向の中心側へ向かい、第３の経路３５３を経て、通線孔３２１から回転部４へ導出される（図５参照）。
【００４６】
なお、電気ケーブル６は、図７に示すように、引き回し経路３６に引き回されてもよい。電気ケーブル６は、まず、エンドカバー３の径方向の中心とボス３１１の外周面との間を通る。次に、電気ケーブル６は、エンドカバー３の径方向の中心側から、エンドカバー３を上から見て時計回りにボス３１１の外周面に沿って周壁３２側へ向かう。そして、電気ケーブル６は、ボス３１１の外周面と周壁３２の内周面３２４との間を通って、通線孔３２１から回転部４に導出される。
【００４７】
ボス３１１は、光源ユニット１をエンドカバー３に取り付けるための部材および放熱用の部材として使用されるだけではなく、電気ケーブル６を引き回すための部材、つまり電気ケーブル６の巻回経路、としても使用される。
【００４８】
本実施形態の照明器具は、電気ケーブル６が円筒形状に形成されたボス３１１の外周面に沿った第２の経路３５２（巻回経路）を含む引き回し経路３５を通ることで、電気ケーブル６に係る張力によるストレスを軽減することができる。なお、電気ケーブル６は、張力がより抑制されるために巻回経路により長く沿うように、引き回し経路３５に配置されることが好ましい。
【００４９】
回転部４は、図１に示すように、アルミダイカストなどの材料によって形成され、エンドカバー３の周壁３２に接続される。回転部４は、接続部４０、第１ヒンジ部４１と、第２ヒンジ部４２と、腕部４３とを備える。
【００５０】
第１ヒンジ部４１は、図４に示すように、一方が開口する円筒形状に形成され、角筒形状に形成された接続部４０を介して、エンドカバー３に機械的に接続される。接続部４０の一方の開口端は、通線孔３２１が設けられている位置を外側から覆うようにエンドカバー３に機械的に接続される。接続部４０の他方の開口端は、第１ヒンジ部４１の周面に機械的に接続される。なお、接続部４０は筒状に形成され、第１ヒンジ部４１と連通する。また、第１ヒンジ部４１は、径方向の中心に軸孔４１１が設けられたボス４１０を有する。
【００５１】
第１ヒンジ部４１の開口面には、図１および図５に示すように、第１ヒンジ部４１とほぼ同じ外径を有する円筒形状に形成された第２ヒンジ部４２が配置される。第２ヒンジ部４２は、一方が開口し、径方向の中心に軸孔４２１が設けられたボス４２０を有する。第１ヒンジ部４１と第２ヒンジ部４２は、第１ヒンジ部４１の軸孔４１１および第２ヒンジ部４２の軸孔４２１に通されるボルト４６によって左右方向に互いに開口面が向き合うようにして配置される。なお、ボルト４６を緩めることにより、ボルト４６を軸として第１ヒンジ部４１と第２ヒンジ部４２とが互いに回転自在となる。
【００５２】
腕部４３は、図１に示すように、筒状に形成され、一方の開口端が第２ヒンジ部の周面に機械的に接続され、第２ヒンジ部４２と連通している。腕部４３は、他方の開口端に固定部５が機械的に接続され、周面に固定部５を取り付けるためのねじ孔４４を備える。
【００５３】
固定部５は、アルミダイカストなどの材料によって、内部が中空の円板形状に形成されるフランジ５１と、取付部材５２とを備える。フランジ５１は、一面から突出する突部を備える。突部は、円筒形状に形成され、外径が腕部４３の内径よりも小さく形成され、腕部４３の内部に配置される。突部が腕部４３の内部に配置され、ねじ５１１がねじ孔４４に嵌め合わされることで、回転部４は、固定部５に保持される。なお、ねじ孔４４にねじ込まれているねじ５１１を緩めることで、腕部４３は固定部５に対して前後方向を軸として回転自在になる。
【００５４】
取付部材５２は、板材によってＵ字形状に形成され、フランジ５１の他面にねじ５１２およびナット５１３によってフランジ５１に取り付けられている。
【００５５】
なお、フランジ５１の中心付近には、電気ケーブル６が挿通可能な開口部５１４が設けられている。つまり、電気ケーブル６は、エンドカバー３から、回転部４の接続部４０、第１ヒンジ部４１、および第２ヒンジ部４２を経て、腕部４３を通りフランジ５１から外側へ導出される。
【００５６】
なお、本実施形態では、器具本体２、エンドカバー３、回転部４、固定部５のそれぞれは、アルミダイカストなどの材料によって形成されているが、それぞれ適宜の材料で形成されてもよい。
【００５７】
第１の溝１８、第２の溝１９、およびねじ溝１９１の形状は円筒形状に限定されず、上下方向から見て矩形や多角形など適宜の形状でもよい。また、第１の溝１８、第２の溝１９、およびねじ溝１９１のそれぞれの本数は３本に限定されず、任意の数だけ形成されてもよい。さらに、第１の溝１８、第２の溝１９、およびねじ溝１９１のそれぞれの位置は、光源ユニット１の外周面に形成されていれば適宜の位置でよい。
【００５８】
器具本体２とエンドカバー３は、ねじ止め以外の方法で互いに機械的に接続されてもよい。通線孔３２１、ガイド１５２、およびボス３１１の位置関係は、本実施形態に限定されない。通線孔３２１の形状は、円形状でなくてもよい。図示では、２本の電気ケーブル６が使用されているが、２本に限定されない。ガイド１５２の形状は、本実施形態に限定されない。光源モジュール１４を有する回路基板１５の形状および構成は、本実施形態に限定されない。第１の領域３３に形成されるリブ３３１の形状および配置場所は、本実施形態に限定されない。ねじ孔３３２、および挿通孔３３３のそれぞれの数は、適宜の数でよい。また、ねじ孔３３２、および挿通孔３３３のそれぞれの位置は、第１の領域３３の内部において、適宜の場所に形成されてもよい。
【００５９】
固定部５のフランジ５１の形状は円筒形状に限定されず、多角形の筒形状に形成されてもよい。固定部５の取付部材５２の形状は、本実施形態に限定されない。また、取付部材５２が使用される必要のない場合は、本実施形態の照明器具は、取付部材５２を取り外して使用することも可能である。
【００６０】
本実施形態の照明器具は、光源（ＬＥＤ）１４１および光源１４１を内部に収納する筐体１１を有する光源ユニット１を備える。また、本実施形態の照明器具は、一端（下端）が開口する有底筒状に形成され底面（上面）には光源１４１の光を取り出す窓孔２２が形成されて光源ユニット１を収納する器具本体２を備える。さらに、本実施形態の照明器具は、一端（上端）が開口する有底筒状に形成されて器具本体２の一端（下端）の開口を閉塞するエンドカバー３と、一端が光源ユニット１に接続し、光源ユニット１に電力を供給する電気ケーブル６とを備える。エンドカバー３は、底面（底部３１）に設けられて光源ユニット１の筐体１１と接触する棒状に形成されるボス３１１と、周壁３２に設けられる通線孔３２１とを備える。電気ケーブル６は、光源ユニット１から、ボス３１１の外周面に沿った巻回経路（第２の経路３５２）を通って通線孔３２１へ向かう引き回し経路３５に配置される。電気ケーブル６は、エンドカバー３の内部から通線孔３２１を通って外部へ導出される。
【００６１】
本実施形態の照明器具は、上述のように形成されるので、放熱と張力抑制を兼用できる簡易な構造によって電気ケーブル６が受ける張力を抑制することができる。
【００６２】
本実施形態の照明器具において、引き回し経路３５は、光源ユニット１から、ボス３１１の外周面とエンドカバー３の内周面３２４との間を通り、エンドカバー３の底面（底部３１）の中心側に向かう巻回経路（第２の経路３５２）を含む経路であることが好ましい。
【００６３】
本実施形態の照明器具が上述のように形成されると、電気ケーブル６は、巻回経路（第２の経路３５１）により長い範囲で沿って引き回されるので、受ける張力を抑制することができる。
【００６４】
本実施形態の照明器具において、ボス３１１は、軸方向から見た断面が円形状に形成されることが好ましい。
【００６５】
本実施形態の照明器具が上述のように形成されると、ボス３１１は、角筒形状のボスと比較して、電気ケーブル６から受ける力が分散され、電気ケーブル６に係る張力によるストレスが軽減される。
【００６６】
本実施形態の照明器具において、ボス３１１は、筒状に形成されることが好ましい。エンドカバー３は、ボス３１１の筒内を通る留め具（ねじ）によって、光源ユニット１の筐体１１に取り付けられることが好ましい。
【００６７】
本実施形態の照明器具が上述のように形成されると、ボス３１１は、電気ケーブル６に係る張力を抑制するための部材であり放熱用の部材であるとともに、エンドカバー３を光源ユニット１に取り付けるための部材を兼用している。したがって、本実施形態の照明器具は、簡易な構造によって、電気ケーブル６が受ける張力を抑制することができる。
【符号の説明】
【００６８】
１  光源ユニット
１１  筐体
１４１  光源（ＬＥＤ）
２  器具本体
２２  窓孔
３  エンドカバー
３１  底部（底面）
３１１  ボス
３２  周壁
３２１  通線孔
３２４  内周面
３５  引き回し経路
３５２  第２の経路（巻回経路）
６  電気ケーブル
【図１】
0006501185.tif 000002
【図２】
0006501185.tif 000003
【図３】
0006501185.tif 000004
【図４】
0006501185.tif 000005
【図５】
0006501185.tif 000006
【図６】
0006501185.tif 000007
【図７】
0006501185.tif 000008